(57)【要約】【課題】想定範囲外の過大変位となる大地震を生じた場合のストッパーと支承移動子との衝撃を緩衝して建物の倒壊を防ぐことができるようになされた免震装置において、該緩衝力の大きさの設定や管理を容易にすることができる緩衝機能付き免震装置を提供する。【解決手段】  ストッパー材８が、支承球体７と当接して変位することでエネルギーを吸収して緩衝するようになされ、上部構造部３の荷重を受けない態様で備えられている。ストッパー材８による緩衝作用は、該ストッパー材８に設けられたルーズホール９…に通されたボルト４…による締付け摩擦力に依存してストッパー材８が滑ることで行われるようになされているとよい。また、ボルト４…は、受け盤５，６を構造部２，３に取り付けるボルトからなっているとよい。【選択図】      図１
2008014346.tif 000002
【特許請求の範囲】
【請求項１】
上下の構造部のいずれか一方に取り付けられる受け材の受け面に支承移動子が受けられ、受け材と支承移動子とが水平方向に相対移動をして免震を行うようになされた免震装置において、
所定の受け面範囲を越える支承移動子の移動を阻止するストッパー材が設けられ、
該ストッパー材は、支承移動子との当接による変位及び／又は変形をもってエネルギーを吸収して緩衝するようになされており、かつ、上部構造部の荷重を受けない態様で備えられていることを特徴とする緩衝機能付き免震装置。
【請求項２】
前記ストッパー材による緩衝作用は、該ストッパー材に設けられたルーズホールに通されたボルトによる締付け摩擦力に依存してストッパー材が滑ることによって行われるようになされている請求項１に記載の緩衝機能付き免震装置。
【請求項３】
前記ボルトが、受け材を構造部に取り付けるボルトからなっている請求項２に記載の緩衝機能付き免震装置。
【発明の詳細な説明】
【技術分野】
【０００１】
本発明は、緩衝機能付き免震装置に関する。
【背景技術】
【０００２】
例えば、転がり免震支承による免震装置では、想定範囲外の過大変位となる大地震を生じた場合のために、支承球体を受ける受け盤の受け面周囲に立ち上がり状のストッパーを設けることがあるが、そのような大地震によって支承球体がストッパーに衝突すると、その衝撃力によって建物が倒壊してしまう危険性がある。
【０００３】
そこで、従来より、基礎等の下部構造部に取り付けられるストッパー付き受け盤を該下部構造部に対して滑り可能に設置し、支承球体がストッパーに衝突すると受け盤が下部構造部上を滑って衝撃エネルギーを吸収するという態様の緩衝作用を行うようになされた免震装置が提案されている。
【特許文献１】特開平１１−１８２６１８号公報
【発明の開示】
【発明が解決しようとする課題】
【０００４】
しかしながら、上記のような免震装置では、緩衝力が受け盤と下部構造部との摩擦力の大きさに依存するが、該摩擦力は上部構造部の側から受ける荷重に依存するところ、上部構造部側の荷重は設計上正確に想定することができないため、摩擦力、ひいては、緩衝力の設定や管理を正確に行うことができないという問題がある。
【０００５】
本発明は、上記のような問題点に鑑み、緩衝力の大きさの設定や管理を容易にすることができる緩衝機能付き免震装置を提供することを課題とする。
【課題を解決するための手段】
【０００６】
上記の課題は、上下の構造部のいずれか一方に取り付けられる受け材の受け面に支承移動子が受けられ、受け材と支承移動子とが水平方向に相対移動をして免震を行うようになされた免震装置において、
所定の受け面範囲を越える支承移動子の移動を阻止するストッパー材が設けられ、
該ストッパー材は、支承移動子との当接による変位及び／又は変形をもってエネルギーを吸収して緩衝するようになされており、かつ、上部構造部の荷重を受けない態様で備えられていることを特徴とする緩衝機能付き免震装置によって解決される（第１発明）。
【０００７】
この免震装置では、ストッパー材が上部構造部の荷重を受けない態様で備えられているので、ストッパー材による緩衝力を、上部構造部の荷重による緩衝力の変動を考慮することなく設定、管理することができ、緩衝力の大きさの設定、管理を容易にすることができる。
【０００８】
第１発明において、前記ストッパー材による緩衝作用は、該ストッパー材に設けられたルーズホールに通されたボルトによる締付け摩擦力に依存してストッパー材が滑ることによって行われるようになされているとよい（第２発明）。
【０００９】
この場合は、ボルトの締付け力を設定、管理するだけで緩衝力の大きさを設定、管理することができ、しかも、その締付け力を、上部構造部の荷重による緩衝力の変動を考慮することなく設定、管理することができて、ストッパーによる緩衝力の大きさの設定、管理を非常に容易に行うことができる。
【００１０】
第２発明において、前記ボルトが、受け材を構造部に取り付けるボルトからなっている場合（第３発明）は、免震装置のための構造部側の補強箇所が増加するのを防いで免震装置を簡素な構造で上下の構造部間に設置することができる。
【発明の効果】
【００１１】
本発明は、以上のとおりのものであるから、緩衝力の大きさの設定や管理を容易にすることができる。
【発明を実施するための最良の形態】
【００１２】
次に、本発明の実施最良形態を図面に基づいて説明する。
【００１３】
図１に示す実施形態において、２は基礎等の下部構造部、３は建物の上部構造部、１は免震装置であり、免震装置１は、下部構造部２にボルト４…で取り付けられた下受け材としての下受け盤５と、上部構造部３にボルト４…で取り付けられた上受け材としての上受け盤６と、上下の受け盤５，６の受け面５ａ，６ａ間に介設された支承移動子としての支承球体７とを備え、地震による水平方向の震動で支承球体７と上下の受け盤５，６とが支承球体７の転動により水平二次元方向に相対移動をして建物が免震されるようになされている。
【００１４】
そして、上下の受け盤５，６の受け面５ａ，６ａ側には、所定の受け面範囲を越える支承球体７の移動を阻止する環状のストッパー材８が受け面５ａ，６ａと同心状に配置され、各ストッパー材８には、ルーズホール９…が設けられ、該ルーズホール９…に上記のボルト４…が通され、該ボルト４…が締め付けられて上下の受け盤５，６の受け面５ａ，６ａ側に押付け接触状態に取り付けられている。
【００１５】
上記の免震装置１では、図２（イ）に示すように、支承球体７が上下の受け盤５，６の受け面５ａ，６ａの範囲を越えようとする想定範囲外の大地震が起こった場合、支承球体７は、まず、図２（ロ）に示すように、環状ストッパー材８の内周部に当接し、しかる後、図２（ハ）に示すように、環状ストッパー材８，８が受け盤５，６との摩擦力に抗して支承球体７に押し動されて変位をすることによりエネルギーの吸収が行われて緩衝され、建物の倒壊が防がれる。
【００１６】
そして、上記の免震装置では、環状ストッパー材８，８が上下の受け盤５，６の受け面５ａ，６ａ側に配置され、受け盤５，６を構造部２，３に取り付けているボルト４…によって受け盤５，６に取り付けられている構造になっていて、環状ストッパー材８が上部構造部３の荷重を受けない態様で備えられているので、環状ストッパー材８，８による緩衝力を上部構造部３の荷重による緩衝力の変動を考慮することなくボルト４…の締付け力の大きさによって設定、管理することができ、緩衝力の大きさの設定、管理を容易にすることができる。
【００１７】
また、上記の実施形態では、環状ストッパー材８，８と受け盤５，６とのボルト締付け摩擦力で緩衝作用が行われるようになされているので、環状ストッパー材８，８を受け盤５，６に付属させて免震装置１を構造簡素なものにすることができる。
【００１８】
更に、受け盤５，６を構造部２，３に取り付けるボルトによって、環状ストッパー材８，８を上下の受け盤５，６に摩擦接触状態に取り付けた構造であるので、免震装置１のための構造部２，３側の補強箇所が増加するのを防いで免震装置１を簡素な構造で上下の構造部２，３間に設置することができる。
【００１９】
以上に、本発明の実施形態を示したが、本発明はこれに限られるものではなく、発明思想を逸脱しない範囲で各種の変更が可能である。例えば、上記の実施形態では、受け盤を上下の備えた支承球体使用の転がり支承の免震装置に適用した場合を示したが、受け盤を上下の備えた支承コロ使用の転がり支承の免震装置に適用することもできるし、上下のいずれか一方が受け盤でもう一方がキャスター式の転がり支承の免震装置に適用することもできるし、転がり支承の限らず、滑り支承の免震装置に適用することも可能である。
【００２０】
また、上記の実施形態ではストッパー材８が摩擦力に抗して滑って変位することによりエネルギーを吸収して緩衝作用を行う免震装置に構成した場合を示したが、ストッパー材８が変形をすることによりエネルギーを吸収して緩衝作用を行う免震装置に構成されていてもよい。
【００２１】
更に、ストッパー材や受け材、受け面等の具体的形態に制限はなく、各種形態のものが採用されてよい。
【図面の簡単な説明】
【００２２】
【図１】実施形態の免震装置を示すもので、図（イ）は断面正面図、図（ロ）は分解断面正面図である。
【図２】図（イ）は作動状態を示す断面正面図、図（ロ）及び図（ハ）はより詳しい作動状態を示す断面要部正面図である。
【符号の説明】
【００２３】
１…免震装置
２…下部構造部
３…上部構造部
４…ボルト
５…下受け盤（下受け材）
５ａ…下受け面
６…上受け盤
６ａ…上受け面
７…支承球体（支承移動子）
８…ストッパー材
９…ルーズホール
【図１】
2008014346.tif 000003
【図２】
2008014346.tif 000004